(57)【要約】【課題】回収時に吸殻や灰等を周囲に飛散させず、確実にゴミ箱に回収可能な灰皿を備えた遊技台を提供する。【解決手段】灰皿７００は、吸殻等を収容する灰受け部８００と、灰受け部８００を支持する本体部９００と、を備えている。灰受け部８００は、本体部９００に収納可能、及び、スロットマシン１００の前方に引き出し可能であるとともに、底板の一部は、ヒンジを介して下方に回動自在に形成されているので、灰受け部８００を本体部９００から引き出すと（ヒンジがメダル受皿２１０の前面より手前に引き出されると）、底板自らの重さにより、底板の一部が開口され、収容された吸殻等がメダル受皿２１０より手前かつ下方向に落下する。【選択図】図４
2006246938.tif 000002
【特許請求の範囲】
【請求項１】
灰皿を備える遊技台であって、
前記灰皿は、
上方に開口して吸殻を収容する灰受けと、
前記灰受けを引き出し自在に収納する本体と、
を有し、
前記灰受けは、
前記本体に収納された状態では、前記吸殻を収容可能とし、前記本体から引き出された状態では、収容された前記吸殻を排出可能に構成されていることを特徴とする遊技台。
【請求項２】
前記灰受けは、
前記遊技台の前面から前方に向かって移動して、引き出されることを特徴とする請求項１記載の遊技台。
【請求項３】
前記灰受けと前記本体のうちのいずれか一方は、前記灰受けの引き出し方向に設けられた長溝を備え、
前記灰受けと前記本体のうちの他方は、前記長溝内を移動自在な突起部材を備え、
前記長溝と前記突起部材とを連結することにより、前記灰受けは前記本体から引き出し自在に構成されていることを特徴とする請求項１又は２記載の遊技台。
【請求項４】
前記灰受けは、
前記灰受けの底部の少なくとも一部が開閉可能に保持され、
前記本体から引き出された状態は、前記灰受けの底部の少なくとも一部は開状態であることを特徴とする請求項1乃至３のいずれか1項に記載の遊技台。
【請求項５】
前記灰受けは、
前記灰受けの底部の少なくとも一部を回動可能に保持する保持部を備え、
前記保持部を支点として回動する回転角度に制限が設けられていることを特徴とする請求項４に記載の遊技台。
【請求項６】
前記遊技台は、
遊技媒体を収納する受皿を備え、
前記灰受けは、
前記受皿の前面より前方で、前記灰受けの底部の少なくとも一部が開状態であることを特徴とする請求項４又は５に記載の遊技台。
【請求項７】
前記灰受けは、
下方に開口している底なし部材であることを特徴とする請求項1乃至３のいずれか1項に記載の遊技台。
【請求項８】
前記灰受けが、前記本体から引き出された状態は、
前記突起部材を支点として前記灰受けの前端部を下方に回動させて、収容した吸殻を排出する排出状態であることを特徴とする請求項３記載の遊技台。
【請求項９】
灰皿を備える遊技台であって、
前記灰皿は、
上方に開口して吸殻を収容する灰受けと、
前記灰受けを保持する本体と、
を有し、
前記灰受けは、
前記本体に収納された収納位置と、収容した吸殻を排出する排出位置と、を移動自在に保持され、
前記灰受けの底部の少なくとも一部は開閉可能とし、
前記収納位置から前記排出位置への移動に伴い、閉状態から開状態となるように構成されていることを特徴とする遊技台。
【請求項１０】
前記灰受けの底部の少なくとも一部は、
前記排出位置から前記収納位置への移動に伴い、開状態から閉状態となるように構成されていることを特徴とする請求項９記載の遊技台。
【請求項１１】
灰皿を備える遊技台であって、
前記灰皿は、
上方に開口して吸殻を収容する灰受けと、
前記灰受けを案内する案内機構と、
を有し、
前記案内機構は、
前記灰受けを、吸殻を収容する収容状態から略水平に移動させたのち、前記灰受けの前端部を下方に回動させて、収容した吸殻を排出することを特徴とする遊技台。
【発明の詳細な説明】
【技術分野】
【０００１】
本発明は、スロットマシン（パチスロ）、パチンコに代表される遊技台に関し、詳しくは、灰皿を備える遊技台に関する。
【背景技術】
【０００２】
従来のスロットマシンにおいては、前面扉の下部であってメダル受け皿の近傍に遊技者のための灰皿が装備されている。従来の灰皿は、吸殻を入れる窪み形状の灰受け部と、この灰受け部をスロットマシン本体側の部位に装着させるための支持部で構成され、支持部は、灰受け部を回転させるために灰受け部の左右に備えられている。よって、灰皿を掃除するときは、まず回収用のゴミ箱をスロットマシンの本体前面よりやや手前に置き、灰受け部の上端部の手前側を指先で押し、灰受け部を前面方向に回転させることで、灰受け部の底に残された吸殻等をスロットマシン本体より手前に落下させ、ゴミ箱に回収していた。
【０００３】
尚、以下の文献には、回転可能な灰受け部を備えた遊技機が開示されている。
【０００４】
【特許文献１】特開平１０−１４６４３０号公報
【発明の開示】
【発明が解決しようとする課題】
【０００５】
しかしながら、吸殻等を回収するゴミ箱は、店員らが持ち運び可能とするため、割とコンパクトな大きさのものが利用され、灰受け部を回転させたとき、この回転の勢いによって、灰受け部の底に残された灰等がゴミ箱の周囲にも飛散してしまうという問題があった。そのため、吸殻等がよりスムーズに落下可能な灰皿構造であることが望まれていた。
【０００６】
本発明は上記の事情を鑑みてなされたものであり、回収時に吸殻や灰等を周囲に飛散させず、確実にゴミ箱に回収可能な灰皿を備えた遊技台を提供することを目的とする。
【課題を解決するための手段】
【０００７】
上記目的を達成するため、本発明に係る遊技台は、次のように構成される。
【０００８】
本発明に係る遊技台は、その一態様として、灰皿を備える遊技台であって、前記灰皿は、上方に開口して吸殻を収容する灰受けと、前記灰受けを引き出し自在に収納する本体と、を有し、前記灰受けは、前記本体に収納された状態では、前記吸殻を収容可能とし、前記本体から引き出された状態では、収容された前記吸殻を排出可能であることを基本的構成とする。
【０００９】
ここで、「吸殻」とは、吸殻の他、灰及びその他の廃棄物を含む意味である。
【００１０】
本発明に係る遊技台によれば、回収時には灰受けを本体から引き出して吸殻を排出するようになっているので、回収時に吸殻を周囲に飛散させることなく、確実にゴミ箱に回収することができる。
【００１１】
一例として、前記灰受けは、前記遊技台の前面から前方に向かって移動して、引き出されるように構成される。
【００１２】
また、一例として、前記灰受けと前記本体のうちのいずれか一方は、前記灰受けの引き出し方向に設けられた長溝を備え、前記灰受けと前記本体のうちの他方は、前記長溝内を移動自在な突起部材を備え、前記長溝と前記突起部材とを連結することにより、前記灰受けは前記本体から引き出し自在に構成される。
【００１３】
また、一例として、前記灰受けは、前記灰受けの底部の少なくとも一部が開閉可能に保持され、前記本体から引き出された状態は、前記灰受けの底部の少なくとも一部は開状態であるように構成される。
【００１４】
この場合、前記灰受けは、前記灰受けの底部の少なくとも一部を回動可能に保持する保持部を備え、前記保持部を支点として回動する回転角度に制限を設けるようにしてもよい。
【００１５】
また、前記遊技台は、遊技媒体を収納する受皿を備え、前記灰受けは、前記受皿の前面より前方で、前記灰受けの底部の少なくとも一部が開状態であるように構成してもよい。
【００１６】
また、一例として、前記灰受けは、下方に開口している底なし部材であるように構成される。
【００１７】
さらには、一例として、前記灰受けが、前記本体から引き出された状態は、前記突起部材を支点として前記灰受けの前端部を下方に回動させて、収容した吸殻を排出する排出状態であるように構成するのも好適である。
【００１８】
また、本発明に係る遊技台は、別の態様として、灰皿を備える遊技台であって、前記灰皿は、上方に開口して吸殻を収容する灰受けと、前記灰受けを保持する本体と、を有し、前記灰受けは、前記本体に収納された収納位置と、収容した吸殻を排出する排出位置と、を移動自在に保持され、前記灰受けの底部の少なくとも一部は開閉可能とし、前記収納位置から前記排出位置への移動に伴い、閉状態から開状態となるのを基本的構成とする。
【００１９】
本発明に係る遊技台によれば、灰受けが収納位置から排出位置に移動し、排出位置では底部の少なくとも一部は開かれて、吸殻を排出するようになっているので、回収時に吸殻を周囲に飛散させることなく、確実にゴミ箱に回収することができる。
【００２０】
一例として、記灰受けの底部の少なくとも一部は、前記排出位置から前記収納位置への移動に伴い、開状態から閉状態となるように構成される。
【００２１】
さらに、本発明に係る遊技台は、別の態様として、灰皿を備える遊技台であって、前記灰皿は、上方に開口して吸殻を収容する灰受けと、前記灰受けを案内する案内機構と、を有し、前記案内機構は、前記灰受けを、吸殻を収容する収容状態から略水平に移動させたのち、前記灰受けの前端部を下方に回動させて、収容した吸殻等を排出することを基本的構成とする。
【００２２】
本発明に係る遊技台によれば、案内機構が灰受けを略水平に移動させた後、灰受けを下方に回動させて、吸殻を排出するようになっているので、回収時に吸殻を周囲に飛散させることなく、確実にゴミ箱に回収することができる。
【発明の効果】
【００２３】
本発明によれば、回収時に吸殻や灰等を周囲に飛散させず、確実にゴミ箱に回収可能な灰皿を備えた遊技台を提供することができる。
【発明を実施するための最良の形態】
【００２４】
以下、本発明の実施の形態について図面を用いて説明する。図１は、本発明の一実施形態に係るスロットマシン１００の外観斜視図である。スロットマシン１００は、メダルの投入により遊技が開始され、遊技の結果によりメダルが払い出されるものである。
【００２５】
＜全体構成＞
スロットマシン１００の本体１０１の中央内部には、外周面に複数種類の絵柄が配置されたリールが３個（左リール１１０、中リール１１１、右リール１１２）収納され、スロットマシン１００の内部で回転できるように構成されている。本実施形態において、各絵柄は帯状部材に等間隔で適当数印刷され、この帯状部材が所定の円形枠材に貼り付けられて各リール１１０乃至１１２が構成されている。リール１１０乃至１１２上の絵柄は、遊技者から見ると、絵柄表示窓１１３から縦方向に概ね３つ表示され、合計９つの絵柄が見えるようになっている。そして、各リール１１０乃至１１２を回転させることにより、遊技者から見える絵柄の組み合わせが変動することとなる。なお、本実施形態では、３個のリールをスロットマシン１００の中央内部に備えているが、リールの数やリールの設置位置はこれに限定されるものではない。
【００２６】
また、各々のリール１１０乃至１１２の背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。バックライトは、例えば、７色（赤、緑、青紫の三原色と、白色等をはじめとするこれらの混合色）の光を発することが可能であり、各原色に対応したＬＥＤ等を含んで構成される。
【００２７】
なお、スロットマシン１００内部において各々のリール１１０乃至１１２の近傍には、投光部と受光部からなる光学式センサ（図示省略）が設けられており、この光学式センサの投光部と受光部のあいだを、リールに設けられた一定の長さの遮光片が通過するように構成されている。このセンサの検出結果に基づいてリール上の絵柄の回転方向の位置を判断し、目的とする絵柄が入賞ライン１１４上に表示されるようにリール１１０乃至１１２を停止させる。
【００２８】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２９】
スタートランプ１２１は、リール１１０乃至１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要）を遊技者に知らせるランプである。告知ランプ１２３は、後述する内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００３０】
メダル投入ボタン１３０、１３１は、スロットマシン１００に電子的に貯留されているメダルを所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入ブロック１３４は、遊技を開始するに当たって遊技者がメダルを投入するためのメダル投入口を形成するブロックである。即ち、メダルの投入は、メダル投入ボタン１３０又は１３１により電子的に投入することもできるし、メダル投入ブロック１３４のメダル投入口から実際のメダルを投入することもできる。
【００３１】
スタートレバー１３５は、遊技の開始操作を行うためのレバー型のスイッチである。即ち、メダル投入ブロック１３４のメダル投入口に所望する枚数のメダルを投入して、スタートレバー１３５を操作すると、これを契機としてリール１１０乃至１１２が回転し、遊技が開始される。ストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００３２】
精算ボタン１３２は、スロットマシン１００に電子的に貯留されたメダル、ベットされたメダルを精算し、メダル払出口１５５よりメダル受皿２１０に排出するためのボタンである。
【００３３】
メダル返却ボタン１３３は、投入されたメダルが詰まった場合に押下してメダルを取り除くためのボタンである。ドアキー１４０は、スロットマシン１００の前面扉１０２のロックを解除するためのキーを挿入する孔である。キーを差し込んで時計方向に回すとロックが解除され、スロットマシン１００の前面扉１０２を開けることができる。メダル払出口１５５は、メダルを払出すための払出口である。メダル受皿２１０は、メダル払出口１５５から払出されたメダルを溜めるための器である。なお、メダル受皿２１０は、本実施形態では発光可能な受皿を採用しており、以下、受皿ランプ２１０と呼ぶこともある。
【００３４】
音孔１６０は、スロットマシン１００内部に設けられているスピーカの音を外部に出力するための孔である。上部ランプ１５０、サイドランプ１５１、中央ランプ１５２、腰部ランプ１５３、下部ランプ１５４、受皿ランプ２１０は、遊技を盛り上げるための装飾用のランプであり遊技状態に応じて点灯／消灯／点滅する。灰皿７００は、煙草の吸殻を入れるための容器であり、メダル受皿２１０の内側にネジ止めされている。尚、灰皿７００については、本実施形態に係るスロットマシン１００を特徴付ける構成要素であるため、詳しくは後述する。リールパネル１６１は、絵柄表示窓１１３を有するパネルであり、タイトルパネル１６２は、そのスロットマシンの機種名や各種のデザインが描かれるパネルである。演出装置６００は、液晶表示装置１８０及び開閉可能な扉１９０を含み、各種演出を行う。
【００３５】
液晶表示装置１８０は、遊技に関する各種の情報を表示する。もちろん、液晶表示装置１８０のかわりに、複数のＬＥＤを２次元に配置したドットマトリックス式表示装置等、他の表示手段を用いても良い。
【００３６】
＜制御部＞
次に、図２及び図３を参照して、スロットマシン１００の制御部の回路構成について説明する。スロットマシン１００の制御部は、大別すると、遊技の中枢部分を制御する主制御部３００と、主制御部３００より送信された制御コマンド（以下、コマンドと略称）に応じて各種機器を制御する副制御部４００と、から構成されている。
【００３７】
＜主制御部＞
まず、図２を参照して、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３８】
また、ＣＰＵ３１０には、後述するセンサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３９】
また、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算／貯留スイッチ３２４、メダル払い出しセンサ３２６の状態を検出し、各センサを監視している。
【００４０】
メダル投入センサ３２０は、メダル投入口に投入されたメダルを検知するセンサである。スタートレバーセンサ３２１はスタートレバー１３５の操作を検知するためのセンサである。ストップボタンセンサ３２２はストップボタン１３７乃至１３９のいずれかのストップボタンが押された場合、どのストップボタンが押されたかを検知するためのセンサである。メダル投入ボタンセンサ３２３はメダル投入ボタン１３１及び１３２のいずれかが押下された場合、どのメダル投入ボタンが押されたかを検知するためのセンサである。精算／貯留スイッチ３２４は、精算ボタン１３２が一回押されると、精算可能なメダルが払い出されることになる。メダル払い出しセンサ３２６は、払い出されるメダルを検知するためのセンサである。
【００４１】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リールに設けた遮光片がこのインデックスセンサ３２５を通過するたびにＨレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、メダル払出装置（図示せず）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００４２】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、入賞役の内部抽選をはじめ各種抽選処理に使用される。本発実施形態における乱数発生回路３１７は、２つの乱数カウンタを備えている。ＣＰＵ３１０のデータバスには、副制御部４００にコマンドを送信するための出力インタフェース３７１が接続されている。主制御部３００と副制御部４００との情報通信は一方方向の通信であり、主制御部３００は副制御部４００へコマンドを送信するが、副制御部４００から主制御部３００へ何らかのコマンド等を送信することはできない。
【００４３】
＜副制御部＞
次に、図３を参照して、スロットマシン１００の副制御部４００について説明する。副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００４４】
また、ＣＰＵ４１０には、副制御部４００の全体を制御するための命令及びデータ、バックライトの点灯パターンや各種表示器を制御するためのデータが記憶されたＲＯＭ４１２や、データ等を一時的に保存するためのＲＡＭ４１３が各バスを介して接続されている。また、ＣＰＵ４１０には、外部の信号を送受信するための入出力インタフェース４６０が接続されており、入出力インタフェース４６０には、各リール１１０乃至１１２の絵柄を背面より照明するためのバックライト４２０、前面扉１０１の開閉を検出するための扉センサ４２１、ＲＡＭ４１３のデータをクリアにするためのリセットスイッチ４２２が接続されている。
【００４５】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、扉・液晶画面制御部５００からの信号を入力するための入力インタフェース４７１、時計ＩＣ４２３、７セグメント表示器４４０への信号を出力するための出力インタフェース４７２等が接続されている。
【００４６】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を店の係員等が確認できるようになっている。更に、出力インタフェース４７０には、デマルチプレクサ４１９が接続されている。デマルチプレクサ４１９は、出力インタフェース４７０から送信された信号を上部ランプ１５０、サイドランプ１５１、中央ランプ１５２、腰部ランプ１５３、下部ランプ１５４、リールパネルランプ１２８、タイトルパネル１６２、払出口ストロボ１７１、受皿ランプ２１０に送信する。なお、ＣＰＵ４１０は、デマルチプレクサ４１９を介して、扉・液晶画面制御部５００に信号を送信し、扉・液晶画面制御部５００は、送信された信号に基づき液晶表示装置１８０及び扉１９０を制御する。
【００４７】
＜灰皿＞
次に、本実施形態に係るスロットマシン１００の灰皿７００について説明する。図４は、灰皿７００の外観斜視図である。ここで、図４（ａ）は、吸殻、灰などの廃棄物（以下、吸殻等という）を収容するときの状態を示しており、また、図４（ｂ）は、吸殻等を回収（排出）するときの状態を示している。灰皿７００は、図４に示すように、吸殻等を収容する灰受け部８００と、灰受け部８００を支持する本体部９００と、を備えており、灰受け部８００は、本体部９００に収納可能、及び、スロットマシン１００の前方（図４（ｂ）に示すＡ方向；スロットマシン１００の前面から遊技者側に向かう方向）に引き出し可能となっている。尚、灰受け部８００及び本体部９００は、それぞれ、耐熱性を有する樹脂で形成されている。
【００４８】
灰受け部８００は、上述したように、吸殻等を入れる部位であり、スロットマシン１００に向かって上方が開口された直方体の容器となっている。また、灰受け部８００の底板の一部は、ヒンジを介して回動自在に形成されているので、図４（ｂ）に示すように、灰受け部８００を本体部９００から引き出すと（正確には、ヒンジがメダル受皿２１０の前面より手前に引き出されると）、底板自らの重さにより、底板の一部が開口され、収容された吸殻等がメダル受皿２１０より手前かつ下方向に落下するようになっている。この結果、回収用のゴミ箱をスロットマシンの本体前面よりやや手前に置けば、吸殻等は、自らの重さにより回収用のゴミ箱に落下するので、従来の灰皿が、吸殻等に回転の勢いを加えて回収用のゴミ箱に落下させていたのに比べて、格段に周囲への飛散量を少なくすることができる。
【００４９】
本体部９００は、スロットマシン１００本体に装着されており、灰受け部８００を収納可能とするように、上方及び前方を開口させて、灰受け部８００とほぼ同形の窪みが形成されている。
【００５０】
次に、本実施形態の灰皿７００の分解図である図５を用いて、灰皿７００の各構成を説明する。
【００５１】
灰受け部８００は、四方を側壁部８１０（詳しくは、前面側壁部８１０ａ，右側壁部８１０ｂ，背面側壁部８１０ｃ，左側側壁部８１０ｄ）で囲み、これらの側壁部８１０の両端部に形成された開口の一端を底面部８２０で塞ぎ、上方を開口させた直方体形状（正確には、灰皿７００と受皿２１０の前面はデザイン上、一体化されているため、前面側壁部８１０ａは若干弓形の形状をなしている）の箱体となっている。
【００５２】
前面側壁部８１０ａには、灰受け部８００を簡単に引き出せるための取っ手８０１が設けられている。また、左右側壁部８１０ｂ及び８１０ｄ（外側の面）の奥側の一端には、ガイドピン（突起部材）８０２がそれぞれ突設され、本体部９００（内側の面）には、ガイドピン８０２が嵌合するガイト溝９２１が設けられ、ガイドピン８０２がガイト溝９２１を前後（図５に示すＢ方向）に摺動するようになっている。
【００５３】
また、底面部８２０は、手前側に設けられた可動底面部８２０ａと、奥側に設けられた固定底面部８２０ｂを備えており、可動底面部８２０ａと固定底面部８２０ｂの接合辺８３０には、上述したヒンジが設けられている。この底面部８２０を含めた灰受け部８００の回収機構については後述する。
【００５４】
本体部９００は、上部本体部９１０と下部本体部９２０から構成されている。上部本体部９１０には、煙草を保持するために、煙草の径と同様な径に切り欠いた煙草保持部９１１が設けられ、また、下部本体部９２０に固定するためのネジ孔９１２が２箇所設けられている。尚、図５に示すように下部本体部９２０にも、このネジ孔９１２と対応する位置にネジ孔９２２が２箇所設けられているので、上部本体部９１０を下部本体部９２０に装着するときは、下部本体部９２０の下側から、２箇所のネジ孔９２２の各々にネジを挿入し、さらにこのネジを上部本体部９１０のネジ孔９１２にねじこんで固定する。
【００５５】
下部本体部９２０は、右側壁部９２０ｂ、背面側壁部９２０ｃ、左側壁部９２０ｄ及び底面部９２０ｅに囲まれることによって、スロットマシン１００の上方及び前方が開口された箱体となっており、前方の開口面を介して灰受け部８００を出し入れ可能としている。左右側壁部９２０ｂ及び９２０ｄの内側には、それぞれ上述したガイド溝９２１が設けられ、これにより、灰受け部８００のガイドピン８０２がガイド溝９２１に沿って前後方向に移動可能となっている。
【００５６】
このように、本体部９００は、灰受け部８００を引き出し自在に支持しており、灰受け部８００を収納した状態では、収吸殻等を収容可能とし、また、灰受け部８００を引き出した状態では、吸殻等を排出可能とするものである。尚、灰受け部８００を本体部９００から容易に抜けない構造とするため、ガイド溝９２１は、手前部分においては、前面に向けて斜め上方を向いており、これにより、ガイドピン８０２の水平移動を規制するストッパの役割も担っている。即ち、本体部９００は、灰受け部８００を予め定めた範囲において引き出し自在に支持している。ここで、予め定めた範囲とは、ガイド溝９２１が設けられた範囲であり、より具体的には、ガイド溝９２１の水平部分に相当する範囲である。また、底面部９２０ｅには、下部本体部９２０をメダル受皿２１０に固定するためのネジ孔９２３が設けられている。
【００５７】
図６は、灰受け部８００における吸殻等の回収機構を説明する図である。図６（ａ）は、本体部９００から引き出された状態における灰受け部８００の外観斜視図であるが、上述したように底板の自重により、可動底面部８２０ａは下方に垂れ下がり、開口面が形成されるので、可動底面部８２０ａに収容された吸殻等は下方に落下するようになっている。
【００５８】
尚、灰受け部８００の形状は、上下左右に対称性を有してもよく、その場合、図６（ａ）に示すように、ガイドピン８０２を側壁部８１０ｂ及び８１０ｄの高さ中央に設けるようにすれば、灰受け部８００を上下逆さまにして、本体部９００に収納することが可能となる。即ち、灰受け部８００を灰皿として使わないときは、上下逆さまにして本体部９００に収納すれば、吸殻等を収容する窪みは遊技者の前に現れない。このとき、接合辺８３０のヒンジは、底面部８２０ａが収納時においては灰受け部８００内に入り込まないように構成されている。例えば、具体的には、灰受け部８００内には突起部材を設けて、底面部８２０ａが収納時においては灰受け部８００内に入り込まないようにし、底面部８２０ａの裏側には「灰皿は使用できません」の文字を表示してもよい。
【００５９】
また、図６（ａ）に示す底面部８２０は、底面部８２０の一部を可動底面部８２０ａとしたが、底面部８２０の全部を可動底面部８２０ａとして構成してもよい。この場合には、背面側壁部８１０ｃと接する辺にヒンジが設けられることになる。
【００６０】
図６（ｂ）は、図６（ａ）に示す灰受け部８００を側面から見た図である。また、図６（ｃ）乃至（ｅ）は接合辺８３０に設けられたヒンジの形状を詳しく説明する図である。図６（ｂ）に示すように、接合辺８３０に設けられたヒンジが本体部９００の前面より前方に引き出されると、可動底面部８２０ａは接合辺８３０を中心にＣ方向に回動する。これは、灰受け部８００が本体部９００に収納された状態では、本体部９００の底面部９２０ｅが可動底面部８２０ａを支持しているので、底面部８２０が開口しないが、接合辺８３０が本体部９００の前面より前方に移動した状態では、可動底面部８２０ａは、底面部９２０ｅに支持されないので、接合辺８３０を中心にＣ方向（下方）に回動するものである。このように、本実施形態においては、灰受け部８００が本体部９００から引き出されて、底部８２０が開口した状態を、吸殻等の排出状態としている。
【００６１】
ここで、ヒンジは、図６（ｃ）に示すように、固定底面部８２０ｂに形成された軸部８３１と、この軸部８３１の両側を回動可能に保持する、可動底面部８２０ａの２つの軸受け部８３２と、を組み合わせて形成されている。図６（ｄ）及び（ｅ）は、軸部８３１及び２つの軸受け部８３２を組み合わせて一体化した状態を示している。
【００６２】
従って、本実施形態に係るスロットマシン１００の灰皿７００によれば、灰受け部８００を本体部９００に収納した状態においては、上方の開口面から吸殻等を収容し、灰受け部８００を本体部９００から前方に引き出した状態においては、底面部８２０が開口し、収容された吸殻等を下方に排出するように構成され、吸殻等は、自らの重さにより回収用のゴミ箱に落下するので、格段に周囲への飛散量を少なくすることができる。
【００６３】
この結果、店員の清掃作業の負担を軽減させることができる。また、吸殻等回収時においても遊技者の関心をそぐことなく遊技に集中してもらうことが可能である。
【００６４】
尚、本実施形態においては、下部本体部９２０は底面部９２０ｅを備えていたが、図４（ｂ）に示すように、灰受け部８００を引き出した状態においては、本体部９００の窪みに吸殻等を捨てられる可能性もあるため、底面部９２０ｅを備えない構成とし、灰受け部８００を引き出した状態では本体部９００に吸殻等を捨てることができないよう構成してもよい。また、本実施形態においては、ガイドピン８０２を灰受け部８００の左右側壁部８１０ｂ及び８１０ｄに設け、ガイド溝９２１を本体部９００の左右側壁部９２０ｂ及び９２０ｄに設けたが、逆の構成、即ち、ガイドピン８０２を本体部９００、ガイド溝９２１を灰受け部８００に設けるようにしてもよい。
【００６５】
図７乃至１１は、本実施形態に係る灰皿７００の種々の変形例を示している。
【００６６】
図７は変形例１の灰皿７００Ａの側面図である。図７に示す灰皿７００Ａの灰受け部８００Ａは、可動底面部８２０ａの外側の面（吸殻等を収容する空間に面した面を内側の面とする）に突起部材８０３を設けており、これにより、灰受け部８００Ａは、水平ではなく、前方やや上方に傾斜されて本体部９００Ａに収納されるものである。尚、前面側壁部８１０ａの内側の面には突起部材８０４が設けられているので、収納時においては、可動底面部８２０ａがこの突起部材８０４より上方内側に入りこまないようになっている。
【００６７】
従って、灰皿７００Ａによれば、灰受け部８００Ａと本体部９００Ａとを備え、灰受け部８００Ａを本体部９００Ａに収納した状態においては、上方の開口面から吸殻等を収容し、灰受け部８００Ａを本体部９００Ａから前方に引き出した状態においては、底面部８２０が開口し、収容された吸殻等を下方に排出するように構成されるとともに、灰受け部８００Ａの可動底面部８２０ａは前方やや上方に傾斜されて本体部９００Ａに収納されるので、本実施形態の効果に加えて、より一箇所にまとめて吸殻等を収容することができ、より効率的に吸殻等を回収することができる。
【００６８】
図８は変形例２の灰皿７００Ｂの側面図である。図８に示す灰皿７００Ｂの灰受け部８００Ｂは、左右側壁部８１０ｂ及び８１０ｄの内側の面の同じ高さに突起部材８０５をそれぞれに設けるとともに、可動底面部８２０ａを固定底面部８２０ｂの上部に重なるように後方に延長しているので、灰受け部８００Ｂを引き出した状態においては、可動底面部８２０ａが突起部材８０５に引っかかり、可動底面部８２０ａの可動傾斜角に制限を設けられるようになっている。即ち、吸殻等は垂直下方ではなく、斜め前方に落下するようになっている。図８（ａ）は、灰受け部８００Ｂを本体部９００Ｂに収納した状態、即ち、吸殻等を収容可能な状態を示しており、図８（ｂ）は、灰受け部８００Ｂを本体部９００Ｂから引き出した状態、即ち、吸殻等を回収する状態を示している。
【００６９】
従って、灰皿７００Ｂによれば、灰受け部８００Ｂと本体部９００Ｂとを備え、灰受け部８００Ｂを本体部９００Ｂに収納した状態においては、上方の開口面から吸殻等を収容し、灰受け部８００Ｂを本体部９００Ｂから前方に引き出した状態においては、灰受け部８００Ｂの可動底面部８２０ａの可動傾斜角に制限を設けて、底面部８２０を開口し、収容された吸殻等を下方に排出するように構成されているので、本実施形態の効果に加えて、より前方で吸殻等を回収することができるとともに、吸殻等が自らの重さにより、回収用のゴミ箱に落下する落下速度を、可動底面部８２０ａによって低減させられるので、格段に周囲への飛散量を少なくすることができる。尚、突起部材８０５が設けられた高さに応じて、傾斜角は調整できるので、回収する吸殻等の量及び回収位置を考慮して好適な高さを設定することができる。
【００７０】
図９は変形例３の灰皿７００Ｃの側面図である。図９（ａ）は、灰皿７００Ｃの灰受け部８００Ｃを本体部９００Ｃに収納した状態（吸殻等を収容可能な状態）を示しており、図９（ｂ）は、灰受け部８００Ｃを本体部９００Ｃから引き出した状態（吸殻等を回収する状態）を示している。図９に示すように、灰受け部８００Ｃは、前面側壁部８１０ａと可動底面部８２０ａとの接合辺８４０にもヒンジが設けられているので、前面側壁部８１０ａは前方及び下方に回動可能に形成されている。即ち、灰受け部８００Ｃを本体部９００ｃから引き出すと、まず、前面側壁部８１０ａが前方に回動するとともに、さらに、接合辺８３０が本体部９００の前面より前方に引き出されると、可動底面部８２０ａも下方に回動するので、吸殻等をより前方で回収することができるようになっている。このように、回収機構が２段構えに構成されているので、うっかり遊技者が前面側壁部８１０ａの取っ手８０１に手をかけて引き出そうとしても、前面側壁部８１０ａが回動した時点で、開けてはいけないものであることを気づかせることができる。
【００７１】
従って、灰皿７００Ｃによれば、灰受け部８００Ｃと本体部９００Ｃとを備え、灰受け部８００Ｃを本体部９００Ｃに収納した状態においては、上方の開口面から吸殻等を収容し、灰受け部８００Ｃを本体部９００Ｃから前方に引き出した状態においては、底面部８２０とともに前面側壁部８１０ａも開口し、収容された吸殻等を下方に排出するように構成されているので、本実施形態の効果に加えて、より前方で吸殻等を回収することができるとともに、遊技者が不用意に灰皿７００Ｃを引き出そうとした際には、注意を喚起することができる。
【００７２】
図１０は変形例４の灰皿７００Ｄの構成を示す図である。図１０に示す灰皿７００Ｄは本実施形態のガイドピン８０２及びガイド溝９２１を変形したものである。灰皿７００Ｄは、図１０（ａ）に示すような、ガイドピン８５１及び８５２をそれぞれ反対側の面の異なる両端に設けたガイドプレート８５０を、図９（ｂ）乃至（ｄ）に示すように、灰受け部８００Ｄ及び本体部９００Ｄに取り付けている。即ち、灰受け部８００Ｄの左右側壁部８１０ｂ及び８１０ｄの外側の面には、前後方向にそれぞれガイド溝８０６が設けられているとともに、本体部９００Ｄの左右側壁部９２０ｂ及び９２０ｄの内側の面にも、前後方向にそれぞれガイド溝９２４が設けられているので、ガイドピン８５１及び８５２は、それぞれガイド溝８０６及び９２４を前後方向に摺動可能となっている（ここでは、ガイドピン８５１がガイド溝８０６に、ガイドピン８５２がガイド溝９２４に取り付けられているものとする）。また、灰受け部８００Ｄは、底面部８２０の全部を可動底面部８２０ａとしており、背面側壁部８１０ｃと接する接合辺８３０にヒンジが設けられている。
【００７３】
これにより、灰受け部８００Ｄを本体部９００Ｄから引き出すと、灰受け部８００Ｄは、２つのガイド溝８０６及び９２４に沿って前方に引き出される。そして、図１０（ｄ）に示すように、接合辺８３０が本体部９００の前面より前方に引き出されると、可動底面部８２０ａが接合辺８３０を中心に回動するので、より前方で吸殻等を回収することができる。
【００７４】
従って、灰皿７００Ｄによれば、前後方向に形成されたガイド溝８０６を左右側壁部８１０ｂ及び８１０ｄに設けた灰受け部８００Ｄと、前後方向に形成されたガイド溝９２４を左右側壁部９２０ｂ及び９２０ｄに設けた本体部９００Ｄとを備え、灰受け部８００Ｄと本体部９００Ｄは、ガイド溝８０６及びガイド溝９２４にそれぞれ嵌合するガイドピン８５１及び８５２を備えたガイドプレート８５０で連結されている。そのため、灰受け部８００Ｄを本体部９００Ｄに収納した状態においては、上方の開口面から吸殻等を収容し、灰受け部８００Ｄを本体部９００Ｄから前方に引き出した状態においては、２つのガイド溝８０６及び９２４に沿って灰受け部８００Ｄが移動して、底面部８２０を開口し、収容された吸殻等を下方に排出するので、本実施形態の効果に加えて、より前方で吸殻等を回収することができる。
【００７５】
尚、本実施形態及びその変形例においては、灰受け部を本体部から前方に引き出すように構成したが、本発明はこれに限定されるものではなく、他の方向、例えば、図１１に示す灰皿７００Ｅのように、スロットマシン１００に向かって左方向に引き出し可能としてもよい。また、本実施形態及びその変形例においては、灰皿をメダル受皿２１０の左側に設置するようにしたが、メダル受皿２１０の右側に設置してもよい。また、本体部９００Ｅは、前方方向、及びスロットマシン１００に向かって左方向の２方向が開口し、灰受け部８００Ｅは、前方方向とスロットマシン１００に向かって左方向との２方向に引き出し可能となるように構成されていてもよい。
【００７６】
＜その他の実施形態＞
以上、本発明の実施の形態について説明してきたが、本発明の要旨を逸脱しない範囲において、本発明の実施形態に対して種々の変形や変更を施すことができる。例えば、上記実施形態においては、灰受け部８００を水平に移動させて、灰受け部８００の底板を下方に開口させることにより、吸殻等を回収していたが、本発明はこの方法に限定されるものではなく、灰受け部８００の底板を開口させない方式、例えば、灰受け部８００を引き出すとともに、灰受け部８００の前端部を下方に回動させて吸殻等を下方に落とす方式を採用してもよい。即ち、上方に開口して吸殻を収容する灰受け部と、灰受け部を案内する案内機構と、を備えた灰皿であって、案内機構が、灰受け部を、吸殻を収容する収容状態から水平に移動させたのち、灰受け部の前端部を下方に回動させて、収容した吸殻等を排出するように構成してもよい。このように、本実施形態においては、灰受け部が案内機構によって引き出されて、灰受け部の前端部が下方に回動した状態を、吸殻等の排出状態とするものである。
【００７７】
図１２は、この方式を採用する灰皿７００Ｆの構成を示している。図１２（ａ）は、灰皿７００Ｆの灰受け部８００Ｆを本体部９３０に収納した状態、図１２（ｂ）は、灰受け部８００Ｆを本体部９３０から引き出して、吸殻等を回収する状態の斜視図であり、図１２（ｃ）は、案内機構９００Ｆの可動部９４０、及び灰受け部８００Ｆの上面図及び側面図である。
【００７８】
ここで、本実施形態における灰受け部８００Ｆは、図１２に示すように、上方を開口した直方体状の箱を意味しており、また、案内機構９００Ｆは、本体部９３０の側壁に前後方向に形成されたガイド溝９２１と、このガイド溝９２１と嵌合して、前後方向に移動可能なコの字状の可動部９４０と、を意味している。
【００７９】
灰受け部８００Ｆは、左右側壁の外側奥に突起部材８７１をそれぞれ設け、この突起部材８７１を、可動部９４０の左右側壁内側にそれぞれ設けられたピン孔９４２に係合するようになっている。また、可動部９４０の左右側壁の外側奥にそれぞれ設けられたガイドピン９４１が、本体部９３０の左右側壁内側にそれぞれ設けられたガイド溝９２１を前後に移動することで、可動部９４０に係合された灰受け部８００Ｆは、本体部９３０から引き出し可能となっている。即ち、灰受け部８００Ｆは、左右側壁の外側奥に突起部材８７１をそれぞれ設け、可動部９４０は、左右側壁の外側奥にガイドピン９４１をそれぞれと、灰受け部８００Ｆの突起部材８７１が係合するピン孔９４２とを設け、本体部９３０は、可動部９４０のガイドピン９４１を移動可能に嵌合するガイド溝を、設けている。
【００８０】
このような構成により、本体部９３０に収納された灰受け部８００Ｆを可動部９４０によって、メダル受皿２１０の前面より前に引き出すと、灰受け部８００Ｆは、本体部９３０底面からの支持がなくなるので、灰受け部８００Ｆの前端部が突起部材８７１を中心に下方に回動し、灰受け部８００Ｆの中に収容された吸殻等が下方に落下するようになっている。なお、本実施形態においては、灰受け部８００Ｆの突起部材８７１を左右側壁の外側奥に設けることとしたが、これは、灰受け部８００Ｆの前端部を落下させるように回動させて、灰受け部８００Ｆの中に収容された吸殻等が落下するときは、灰受け部８００Ｆの回動による勢いが吸殻等に加わらないようにするためである。
【００８１】
従って、灰皿７００Ｆによれば、灰受け部８００Ｆと案内機構９００Ｆとを備え、灰受け部８００Ｆを本体部９３０に収納した状態においては、上方の開口面から吸殻等を収容し、可動部９４０の移動により、灰受け部８００Ｆを本体部９３０から前方に引き出した状態においては、灰受け部８００Ｆの前端部が、灰受け部８００Ｆに設けられた突起部材８７１を中心に下方に回転して、収容された吸殻等を下方に排出するように構成されているので、上記実施形態と同様に、回収時に吸殻等を周囲に飛散させず、吸殻等を確実にゴミ箱に回収することができるとともに、より前方で吸殻等を回収することができる。即ち、より手前で回収作業を行えるようになるので、吸殻等を回収するゴミ箱をあてがいやすく、より灰が飛散しにくいという効果を得ることができる。また、上記実施形態と異なり、灰受け部８００Ｆを直方体状の箱としたことで、仮に水分を含む廃棄物が収容されたとしても、灰受け部８００Ｆからの水漏れを防止でき、効率良く廃棄物を収容できる。
【００８２】
図１３に示す灰皿７００Ｇは、灰皿７００Ｆの変形例である。即ち、灰皿７００Ｇにおいても、灰受け部８００を引き出すとともに、灰受け部８００の前端部を下方に回動させて吸殻等を下方に落とす方式を採用している。ここで、灰皿７００Ｇは、灰皿７００Ｆとは、灰受け部８００を引き出す方向に相違があり、即ち、灰皿７００Ｇは、上方に開口して吸殻を収容する灰受け部と、灰受け部を案内する案内機構と、を備えた灰皿であって、案内機構が、灰受け部を、吸殻を収容する収容状態から前方に向かってやや上方に移動させたのち、灰受け部の前端部を下方に回動させて、収容した吸殻等を排出するように構成されているものである。
【００８３】
ここで、図１３（ａ）は、灰皿７００Ｇの灰受け部８００Ｇを本体部９３０に収納した状態、図１３（ｂ）は、灰受け部８００Ｇを案内機構９００Ｇによって引き出して、吸殻等を回収する状態の斜視図である。尚、本変形例においては、灰受け部８００Ｇは、上方を開口した直方体状の箱を意味しており、また、案内機構９００Ｇは、灰受け部８００Ｇに設けられたガイドピン８０２と嵌合する、本体部９３０に形成されたガイド溝９２１を意味している。
【００８４】
図１３に示すように、灰受け部８００Ｇの左右側壁部（外側）には、奥側底面近傍にそれぞれガイドピン８０２が設けられ、また、本体部９３０の左右側壁部（内側）には、ガイドピン８０２を摺動させるガイド溝９２１がそれぞれに設けられている。これにより、吸殻等の回収時には、灰受け部８００Ｇをガイド溝９２１に沿って前方かつ上方に移動させて、ガイド溝９２１の終端まで引き出すと、灰受け部８００Ｇは、本体部９３０からの支持がなくなるので、灰受け部８００Ｇの前端部が、灰受け部８００Ｇに設けられたガイドピン８０２を中心に下方に回動し、灰受け部８００Ｇに収容された吸殻等が下方に落下するようになっている。
【００８５】
従って、灰皿７００Ｇによれば、灰受け部８００Ｇと案内機構９００Ｇとを備え、灰受け部８００Ｇを本体部９３０に収納した状態においては、上方の開口面から吸殻等を収容し、灰受け部８００Ｇを本体部９３０のガイド溝９２１に沿って上方かつ前方に引き出した状態においては、灰受け部８００Ｇの前端部が、ガイドピン８０２を中心に下方に回転して、収容された吸殻等を下方に排出するように構成されているので、灰皿７００Ｆと同様の効果を得ることができる。また、灰受け部８００Ｇの前面上部（煙草保持部９１１近傍）は、メダル受皿２１０より前方に突き出ているので、より容易に回収行為を行うことができる。即ち、本体部９００Ｇのガイド溝９２１の上端部を、より高く、より手前側まで設けることで、より手前で回収作業を行えるようになるので、吸殻等を回収するゴミ箱をあてがいやすく、より灰が飛散しにくいという効果を得ることができる。
【００８６】
尚、上記実施形態及びその変形例においては、灰皿の灰受け部は底面を備えていたが、本発明はこれに限定されるものではなく、灰皿の灰受け部は底面を備えていなくてもよい。
【００８７】
図１４は底面を備えない灰受け部を有する灰皿７００Ｈの構成を示している。図１４（ａ）及び（ｂ）は灰皿７００Ｈの灰受け部８００Ｈの斜視図であり、図１４（ｃ）及び（ｄ）は灰受け部８００Ｈ及び本体部９００Ｈの側面図である。図１４（ａ）に示すように、灰受け部８００Ｈは、前面側壁部８１０ａ、左右側壁部８１０ｂ及び８１０ｄ、並びに背面側壁部８１０ｃを備える構成であり、上方及び下方には開口面が形成されている。また、図１４（ｂ）に示すように、背面側壁部８１０ｃは前方（内側）に回動可能に形成されている（図１４（ｃ）及び（ｄ）に示すように、背面側壁部８１０ｃはストッパ８０７により後方（外側）には回動しない）。
【００８８】
即ち、灰受け部８００Ｈが本体部９００Ｈに収納されているときは、吸殻等は本体部９００Ｈの底面部９２０ｅ上に収容されているが、灰受け部８００Ｈを本体部９００Ｈから引き出すと、底面部９２０ｅ上に収容された吸殻等は、前方に移動する背面側壁部８１０ｃに押されて前方に移動し、さらに背面側壁部８１０ｃが本体部９００Ｈの前面まで移動すると、吸殻等は、灰受け部８００Ｈの開口面から落下するものである。一方、引き出した灰受け部８００Ｈを本体部９００Ｈに収納するときは、灰受け部８００Ｈを後方に押し出すと、図１４（ｃ）に示すように、背面側壁部８１０ｃは斜めに傾きながら移動し、図１４（ｄ）に示すように、灰受け部８００Ｈが本体部９００Ｈに完全に収納されると、背面側壁部８１０ｃは元の状態に戻り、底面に対して垂直な方向を保つことになる。
【００８９】
従って、灰皿７００Ｈによれば、上下方向を開口した灰受け部８００Ｈと本体部９００Ｈとを備え、灰受け部８００Ｈを本体部９００Ｈに収納した状態においては、上方の開口面から吸殻等を収容し、灰受け部８００Ｈを本体部９００Ｈから前方に引き出した状態においては、背面側壁部８１０ｃに押し出された吸殻等を下方の開口面から排出するように構成されているので、上記実施形態と同じように、回収時に吸殻等を周囲に飛散させず、吸殻等を確実にゴミ箱に回収することができるという効果を得ることができる。
【００９０】
以上、説明したように、本発明のスロットマシン１００が備える灰皿は、灰受け部と本体を備えて、灰受け部が、灰受け部を本体に収納する収納位置と、灰受け部が吸殻等を排出する排出位置と、を移動自在に形成され、収納位置から排出位置の移動に伴って、灰受け部が下方に対して閉状態から開状態になるので、吸殻等を排出することができるものである。
【００９１】
尚、上記実施形態及びその変形例においては、スロットマシンが備える灰皿について説明したが、本発明はパチンコやその他ゲーム機等が備える灰皿に適用してもよいのは勿論である。
【図面の簡単な説明】
【００９２】
【図１】本発明の一実施の形態に係るスロットマシン１００の外観を示す斜視図である。
【図２】スロットマシン１００の主制御部３００を示すブロック図である。
【図３】スロットマシン１００の副制御部４００を示すブロック図である。
【図４】スロットマシン１００に備えられた灰皿７００の外観を示す斜視図である。
【図５】灰皿７００の分解斜視図である。
【図６】灰皿７００の吸殻等を回収する回収機構を説明する図である。
【図７】灰皿７００の変形例である灰皿７００Ａを説明する図である。
【図８】灰皿７００の変形例である灰皿７００Ｂを説明する図である。
【図９】灰皿７００の変形例である灰皿７００Ｃを説明する図である。
【図１０】灰皿７００の変形例である灰皿７００Ｄを説明する図である。
【図１１】灰皿７００の変形例である灰皿７００Ｅを説明する図である。
【図１２】他の実施形態に係る灰皿７００Ｆを説明する図である。
【図１３】他の実施形態に係る灰皿７００Ｇを説明する図である。
【図１４】他の実施形態に係る灰皿７００Ｈを説明する図である。
【図１】
2006246938.tif 000003
【図２】
2006246938.tif 000004
【図３】
2006246938.tif 000005
【図４】
2006246938.tif 000006
【図５】
2006246938.tif 000007
【図６】
2006246938.tif 000008
【図７】
2006246938.tif 000009
【図８】
2006246938.tif 000010
【図９】
2006246938.tif 000011
【図１０】
2006246938.tif 000012
【図１１】
2006246938.tif 000013
【図１２】
2006246938.tif 000014
【図１３】
2006246938.tif 000015
【図１４】
2006246938.tif 000016